(57)【要約】【課題】自転車用のスタンド装置に関し、自転車を停めて、起立状態にしてロックしたスタンドの脚部を、自転車に取り付けている自転車用錠の施錠操作と共に自動的に施錠できるようにする。【構成】脚部２とスタンドロック板３を揺動可能に備えて自転車に固定される取付板１に、ロックホルダー５を設け、このロックホルダー５に、自転車用錠Ａの錠杆２１の施錠、開錠動作に連動するたワイヤー１３の末端部１４を固定したロックピン１０を摺動自在に保持させるとともに、上記スタンドロック板３に、起立させた脚部２のロック位置において、上記ロックホルダー３と整合して上記ロックピン１０を嵌合する施錠孔７を設け、前記錠杆２１の施錠、開錠動作に連動するワイヤー１３の末端部１４を介して、上記ロックピン１０を上記施錠孔７内に嵌入、脱出させるようにしたことを特徴とする自転車用スタンド装置である。【選択図】　　　　図２
2004066948.tif 000002
【特許請求の範囲】
【請求項１】
自転車用スタンドにおいて、脚部とスタンドロック板を揺動可能に備えて自転車に固定される取付板に、ロックホルダーを設け、このロックホルダーに、自転車用錠の錠杆の施錠、開錠動作に連動するたワイヤーの末端部を固定したロックピンを摺動自在に保持させるとともに、上記スタンドロック板に、起立させた脚部のロック位置において、上記ロックホルダーと整合して上記ロックピンを嵌合する施錠孔を設け、前記錠杆の施錠、開錠動作に連動するワイヤーの末端部を介して、上記ロックピンを上記施錠孔内に嵌入、脱出させるようにしたことを特徴とする自転車用スタンド装置。
【請求項２】
前記自転車用錠には、円弧形の錠杆を備えたサークル錠を用い、このサークル錠本体の裏面に、上記錠杆の円弧に沿ったスライドガイド溝と、錠杆の施錠行程の終端部に接近させてスライドガイド部とを設け、このスライドガイド部に、前記ワイヤーの基端部を固定した作動子を嵌装し、この作動子を上記錠杆の施錠行程の終端部近くで上記ピンに係合させて、上記ワイヤーを押させて末端部の前記ロックピンを施錠孔内に嵌入させるように構成したことを特徴とする請求項１記載の自転車用スタンド装置。
【発明の詳細な説明】
【０００１】
【産業上の利用分野】
本発明は、自転車用のスタンド装置に関し、自転車を停めて、起立状態にしてロックしたスタンドの脚部を、自転車に取り付けている自転車用錠の施錠操作に連動させて、自動的に施錠できるようにしたことを特長とするものである。
【０００２】
【従来の技術】
従来の自転車用スタンドにおいて、スタンドの脚部と自転車用錠とをワイヤーで連結し、脚部の起立動作にワイヤーを連動させて牽引して、自転車用錠を施錠するようにした装置には、例えば本出願人の先願に、特開２００２−１７８９７０号公報がある。
また、特開平１１−５９２８号公報、特開平１０−２８７２８５号公報のように、サドルに装置した自転車用錠に連動させてスタンドを自動的にロックするようにしたものもある。
なお、自転車の前後輪にそれぞれ備えた錠前をワイヤーで連結して、両方の錠前を同時に施錠、開錠できるようにした自転車の施錠装置には、例えば特開２００１−１３２３００号公報がある。
【０００３】
【発明が解決しようとする課題】
特開２００２−１７８９７０号公報の装置は、スタンドを起立させるときに回転する脚部側からの牽引により自転車用錠の錠杆を施錠位置に移動させるようにしているので、何かの弾みでワイヤーが引っ張られると不用意に自転車が施錠されるおそれがある。
特開平１１−５９２８号公報、特開平１０−２８７２８５号公報の装置は、自転車の施錠操作により、サドルを使用不能に傾斜させるようにしたもので、施錠状態にある自転車の外観に違和感があり、センタースタンドのために不安定感があり、キャリアが取り付け難い、荷物を載せにくい等の問題がある上に、ワイヤーの牽引によりスタンドをロックする構造のために、ワイヤーが延びるとロックできなくなるおそれがある、錠前のキーを常時携帯する必要があってキーを持たずにロックすると、スタンドの起立とサドルの傾斜を解除できなくなるという不便があった。
特開２００１−１３２３００号公報の装置は、車体の前後のわたって露出しているワイヤーに接触すると不用意にロックが作動する危険がある。また、長尺のワイヤーを使用しているので、ワイヤーに伸びが生ずると施錠操作にロックが連動しない場合がある。
上記３例の先行技術は、何れもワイヤーの牽引によって自転車用錠を施錠しようとするものであった。そのため、何らかの弾みでワイヤーが引っ張られると不用意に施錠動作を起こす場合があるという共通の欠点があった。
【０００４】
以上のことから本発明が解決しようとする課題は、スタンドと自転車用錠を結ぶワイヤーを、自転車に取り付けられている錠前側からの押し動作によりスタンド側に伝達させることによってスタンドをロックさせるようにすることによって、上記従来装置の欠点を除去したスタンドロック装置を提供しようとものである。
【０００５】
【課題を解決するための手段】
そこで本発明は、自転車用スタンドにおいて、脚部とスタンドロック板を揺動可能に備えて自転車に固定される取付板に、ロックホルダーを設け、このロックホルダーに、自転車用錠の錠杆の施錠、開錠動作に連動するたワイヤーの末端部を固定したロックピンを摺動自在に保持させるとともに、上記スタンドロック板に、起立させた脚部のロック位置において、上記ロックホルダーと整合して上記ロックピンを嵌合する施錠孔を設け、前記錠杆の施錠、開錠動作に連動するワイヤーの末端部を介して、上記ロックピンを上記施錠孔内に嵌入、脱出させるようにしたことを特徴とする自転車用スタンド装置を提供するものである。
【０００６】
上記のように構成した本発明スタンド装置は、自転車を停めてスタンドを立て、ロック板をロックした後、自転車に取り付けられている自転車用錠を施錠すると、施錠操作に連動するワイヤーとその末端部にあるロックピンの押し動作により、起立状態にありロックされているスタンドの脚部が自動的に施錠される。
なお、スタンドロック板がロック位置にないときは、仮にワイヤーに伸び（押し）が生じてもロックピンは施錠孔内に嵌入できないので、不用意にスタンドがロックされることはない。また、ワイヤー側から錠前側に向けて押しが生じた場合でも自転車にロックが掛かることがない。
【０００７】
本発明に係る自転車用スタンド装置において、錠前に円弧形の錠杆を備えたサークル錠を用い、このサークル錠本体の裏面に、上記錠杆の円弧に沿ったスライドガイド溝と、錠杆の施錠行程の終端部に接近させてスライドガイド部とを設け、このスライドガイド部に、前記ワイヤーの基端部を固定した作動子を嵌装し、この作動子を上記錠杆の施錠行程の終端部近くで上記ピンに係合させて、上記ワイヤーの末端部の前記ロックピンを施錠孔内に嵌入させるように構成した請求項２の発明によれば、ワイヤーが中間で引っ張られても錠杆が施錠動作をしないので自転車の安全な使用ができるとともに、それほどコスト高にならずに作動の確実性に優れたスタンド装置を得ることができる。
【０００８】
【実施例】
以下に、本発明に使用する自転車錠にサークル錠を採用した場合の実施例を図面について説明する。
図１は、本発明装置を取り付けるべきスタンド部分の一部を分解して示す斜視図、図２は、ロックホルダーとロックピンとワイヤーの末端部を示す一部切欠縦断面図、図３は、本発明に使用するサークル錠の裏面の一部分解斜視図、図４はガイド部材と作動子との組立状態とサークル錠を裏面から示す説明図である。
【０００９】
図において、１は、自転車本体に固定されるスタンドの取付け板、２は、基部を取付け板１の裏側に沿わせた脚部、３は、取付け板１の表側に沿い、脚部２と共通の枢着軸４で互いに揺動自在に取付け板１に枢着されたロック板、３ａは、脚部２とロック板３のスタンド用牽引ばねである。
５は、取付け板１の前縁部（図１の左側）を前部側に曲げてコ字形に形成され、上下に挿通孔５ａ、５ｂを設けたロックホルダー、６は、起立させた脚部２をロック板３でロックしたときに、ロックホルダー５の下方に位置するようロック板３の前縁部に三角形に設けた台座部、７は、脚部２のロック状態のときに、上記ロックホルダー５の挿通孔５ｂと整合するよう台座部６の上面に開口する施錠孔、８はロックホルダー５のカバー、９はその止めねじである（図１参照）。
【００１０】
図２に示すように、ロックホルダー５は、上下の挿通孔５ａ、５ｂの間に、上下に摺動を自在にしてロックピン１０を保持し、ロックピン１０の上部に当接させたフランジ部１１’を上の挿通孔５ａに掛止させてガイド筒１１を嵌合し、ガイド筒１１の中に、同じく中空のワイヤーホルダーねじ軸１２を螺合させるとともに、中空のワイヤーホルダーねじ軸１２とガイド筒１１の両部材に挿通させたワイヤー１３の末端部１４を、ロックピン１０の側面からねじ込んだ止めねじ１５で固定している。
なお、図２中１６は、ロックホルダー５に上記のように保持されているロックピン１０を常時上方に付勢している復元ばね、１７は、ガイド筒１１およびワイヤーホルダーねじ軸１２を上の挿通孔５ａに緊締する弛み止めナット、１８は、末端部１４の他端に位置にするワイヤーの基端部である。
【００１１】
上記のようにして、末端部１４をワイヤーホルダーねじ軸１２とガイド筒１１の中に挿通させ、ロックピン１０に固定したワイヤー１３は、その基端部１８を図３、４に示すように構成した接続部１９を介してサークル錠Ａに連結されている。
図３に示すように、この実施例において自転車錠として採用したサークル錠Ａは、錠本体２０の裏面に、円弧形の錠杆２１の曲線に沿って湾曲するガイド溝２２を備え、錠本体２０の表側に突出する施錠操作用の摘み２３の取付け軸２４を錠杆２１に貫通させて上記ガイド溝２２に嵌めている。
サークル錠Ａの裏面に備える前記接続部１９は、図４に示すように、内面を円弧形に形成してガイド溝２２の終端部に位置して錠本体２０に固定されるカバー部材２５と、ワイヤー１３の基端部１８を連結して、カバー部材２５内に適宜長の摺動を可能にして嵌装した円弧形の連結子２６とからなる。
【００１２】
図３、４において、右回りに移動させる摘み２３の施錠操作に従って錠杆２１と一体に移動する上記取付け軸２４は、その移動の終端近くでカバー部材２５内に入り連結子２６に当接し、大径に形成したワイヤー１３の基端部１８を締結した連結子２６を、施錠の終端部に至るまでの間に施錠方向に移動させる。それによって、錠杆２１の施錠操作に連動してワイヤー１３に押し動作が与えられる。
【００１３】
錠杆２１に連動して取付け軸２４による押し動作がワイヤー１３に与えられると、ロックホルダー５内では、末端部１４と一体にロックピン１０が復元ばね１６に抗して図示下方に押し下げられる。そして、脚部２をロックして整合位置にあるロック板３の施錠孔７内にロックピン１０の下端部１０’が嵌入し、脚部２のロック状態が施錠される。なお、脚部２のロック状態は、サークル錠Ａの錠杆２１と施錠機構２７との係合によって保持される。また、施錠機構２７は、施錠と同時にキーを携行可能にする。
次に、サークル錠Ａが開錠されると、錠杆２１用の牽引ばね２８の復帰と、連結子２６の後退と、ワイヤー１３の基端部１８に備えた反撥ばね２９とロックピン１０の復元ばね１６の復帰とにより、ロックピン１０が施錠孔７から脱出して、ロック板３による脚部２のロックが開放可能になる。
【００１４】
なお、本発明の実施に際して、採用する自転車用錠はサークル錠に限らない。例えば本発明に係るワイヤー１３を施錠、開錠に連動させる錠前としては、直線状に進退する錠杆を備えた箱錠のような錠前であってもよく、その場合のワイヤーとの接続部１９の構造は、本発明の要旨に沿って適宜に設計変更できることはいうまでもない。
また、ロックホルダー５によるロックピン１０の保持方向は上下の縦方向に限らず、車体に交差する横方向あるいは回転させるように構成する場合もある。
【００１５】
【発明の効果】
前記のように構成され、上記のように用いられるようにした本発明によれば、スタンドを立てた自転車の駐輪状態が、自転車用錠の施錠操作と共に施錠できる。したがって、盗難防止効果がきわめてたかくなるとともに、自転車の安全走行を可能にするなど、きわめて有用である。
【図面の簡単な説明】
【図１】図１は、本発明装置を取り付けるべきスタンド部分の一部を分解して示す斜視図
【図２】図２は、ロックホルダーとロックピンとワイヤーの末端部を示す一部切欠縦断面図
【図３】図３は、本発明に使用するサークル錠の裏面の一部分解斜視図
【図４】図４は、ガイド部材と作動子との組立状態とサークル錠を裏面から示す説明図である。
【符号の説明】
１　取付け板
２　脚部
３　ロック板　　（３ａ　牽引ばね）
４　枢着軸
５　ロックホルダー　　（５ａ、５ｂ　挿通孔）
６　台座部
７　施錠孔
８　ホルダーカバー
９　止めねじ
１０　ロックピン
１１　ガイド筒　　（１１’　フランジ部）
１２　ワイヤーホルダーねじ軸
１３　ワイヤー
１４　末端部
１５　止めねじ
１６　復元ばね
１７　抜け止めナット
１８　基端部
１９　接続部
Ａ　サークル錠
２０錠本体
２１　錠杆
２２　ガイド溝
２３　操作摘み
２４　取付け軸
２５　施錠機構
２６　連結子
２７　施錠機構
２８　牽引ばね
２９　反撥ばね
【図１】
2004066948.tif 000003
【図２】
2004066948.tif 000004
【図３】
2004066948.tif 000005
【図４】
2004066948.tif 000006